(57)【要約】【課題】マンホールに設置した際に把手凹部が露出していないため、安全な歩行を確保でき、雨水が溜まったりや砂が堆積することはないため、着脱の作業がしやすい。雨水等が溜まることはないため、環境汚染を誘発させることはない。また、開放されることはないためロック装置は不用となり、マンホール用蓋に突出部が無くなったため梱包容積が小さくなり、運搬費用を低額化させることができ、部品点数が少なくなったため製造コストを低額化させることができる。【解決手段】蓋体の表面に把手凹部を有するマンホール用蓋において、前記把手凹部に埋設部材を着脱可能に嵌挿するとともにこの埋設部材の露出面を前記蓋体の表面と略面一にしたもの。【選択図】  図２
2004211415.tif 000002
【特許請求の範囲】
【請求項１】
蓋体の表面に把手凹部を有するマンホール用蓋において、前記把手凹部に埋設部材を略隙間無く着脱可能に嵌挿するとともにこの埋設部材の露出面を前記蓋体の表面と略面一にしたことを特徴とするマンホール用蓋。
【請求項２】
請求項１のマンホール用蓋において、前記埋設部材の露出面の周縁部に係止切り欠きを設けたことを特徴とするマンホール用蓋。
【請求項３】
請求項１又は請求項２のマンホール用蓋において、前記埋設部材を前記蓋体と同じ材料で形成したことを特徴とするマンホール用蓋。
【請求項４】
請求項１又は請求項２のマンホール用蓋において、前記埋設部材は、マンホール内の水槽に浮遊可能であることを特徴とするマンホール用蓋。
【請求項５】
請求項４のマンホール用蓋において、前記埋設部材の表面部は主要部よりも堅い材質で形成したことを特徴とするマンホール用蓋。
【発明の詳細な説明】
【０００１】
【発明の属する技術分野】
この発明はマンホール用蓋に関し、例えば、浄化槽用マンホール、雨水桝等の蓋として使用されるものである。
【０００２】
【従来の技術】
従来におけるこの種のマンホール用蓋は、蓋体の表面に一対の把手凹部が設けられたものであり、作業者がこの把手凹部に手を掛けて持ち上げることによりマンホールの開閉を行っていた。
【０００３】
【発明が解決しようとする課題】
しかしながら、かかる従来のマンホール用蓋にあっては、マンホールに設置されている場合、前記把手凹部が地表面に露出しているため、歩行者の靴の踵が侵入して安全な歩行を妨げたり、また、雨水が溜まった場合や砂が侵入した場合には、作業の際にこれらを除去しなければならず、更に、雨水等が溜まった場合には不潔になって環境汚染を誘発させやすいという不都合を有した。
【０００４】
この発明の課題は前記不都合を解消することである。
【０００５】
【課題を解決するための手段】
この課題を達成するために、この発明に係るマンホール用蓋においては、蓋体の表面に把手凹部を有するマンホール用蓋において、前記把手凹部に埋設部材を略隙間無く着脱可能に嵌挿するとともにこの埋設部材の露出面を前記蓋体の表面と略面一にしたため、恰も把手凹部の存在しないような状態で設置し、着脱の際にのみ前記埋設部材を取り外せば良いものである。
【０００６】
また、このように、前記把手凹部に前記埋設部材を略隙間無く嵌挿すれば、マンホール用蓋にかかる荷重を分散させることができるため、マンホール用蓋の耐久性を向上させることができる。
【０００７】
なお、前記埋設部材の露出面の周縁部に係止切り欠きを設ければ、埋設部材を前記把手凹部から取り外す際に、この係止切り欠きにドライバー等の作業具を侵入させ、こじることによって簡単な作業で埋設部材を把手凹部から取り外すことができるものである。
【０００８】
また、前記埋設部材を前記蓋体と同じ材料で形成すれば、両者の熱膨張率が同じである為、寒暖の変化があっても前記埋設部材を前記蓋体の把手凹部に略隙間無く嵌挿することができる。
【０００９】
また、前記埋設部材を、マンホール内の水槽に浮遊可能にすれば、この埋設部材がマンホール内の水槽に落ちたときも容易に拾うことができる。
【００１０】
なお、この場合、前記埋設部材の表面部を主要部よりも堅い材質で形成すれば、露出している表面を損傷させにくい状態で、上記効果を奏することができる。
【００１１】
【発明の実施の形態】
図１はこの発明に係るマンホール用蓋の平面図、図２は図１におけるＩＩ−ＩＩ線断面図、図３は図２におけるＩＩＩ−ＩＩ線断面、図４はこの発明における埋設部材の斜視図、図５は同他の斜視図である。
【００１２】
図１〜図３において、Ｍは浄化槽用マンホール用蓋（この発明の「マンホール用蓋」に相当する）であり、蓋体１０を主要構成部品としている。この蓋体１０は合成樹脂製の円板状であり、その表面には線画および文字等が凹凸状に一体形成されている。
【００１３】
次に、図２において、１１，１１は軸孔であり、前記蓋体１０の両端部にそれぞれ形成されている。この軸孔１１にはロック具２０が回動可能に嵌挿されている。ロック具２０の頭部２１を回動させることによって、下端の係止片２２を揺動させ、マンホール枠体３０の突出片３１の下側から出し入れし、ロック状態を開閉する。なお、２３は細溝であり、前記ロック具２０の頭部２１に形成されている。この細溝２３は前記ロック具２０を回動させる際に工具を嵌挿させる部分である。
【００１４】
次に、５０，５０は把手凹部であり、前記蓋体１０の表面に形成されている。この一対の把手凹部５０，５０は略長方形状であり、前記蓋体１０の中心を基準として平行に配置されている。そして、その内部は前記蓋体１０の中心方向に向かってアンダーカット状に湾曲している（図２を参照のこと）。この把手凹部５０，５０は、浄化槽用マンホール用蓋Ｍを開閉する際に、作業者が手を掛ける部分である。
【００１５】
６０は埋設部材であり、前記把手凹部５０に略隙間無く着脱可能に嵌挿されている。図４に示すように、この埋設部材６０は、前記蓋体１０と同じ材質の合成樹脂で形成され、前記把手凹部５０に嵌挿された状態でその露出面６１は、前記蓋体１０の表面と略面一になっている（図２を参照のこと）。このように、この埋設部材６０を前記蓋体１０と同じ材質で形成すると両者の熱膨張率が同じである為、寒暖の変化があっても前記埋設部材６０を前記蓋体１０における前記把手凹部５０に略隙間無く嵌挿することができる。
【００１６】
６２は係止切り欠きであり、前記埋設部材６０の露出面６１における反アンダーカット側に形成されている。この係止切り欠き６２はこの側面を下方に向かって延びている。作業者は、この係止切り欠き６２に、ドライバー等の作業具を侵入させ、こじ上げることによって前記埋設部材６０を前記把手凹部５０から取り外すことができる。
【００１７】
なお、この係止切り欠き６２はこの位置に限定されず、前記埋設部材６０の露出面６１の周縁部であればいかなる場所にでも形成することができる。
【００１８】
また、前記埋設部材６０を、マンホール内の水槽に浮遊可能にすれば、この埋設部材６０をマンホール内の水槽に落としたときも容易に拾うことができる。
【００１９】
なお、この場合、図５に示すように、前記埋設部材６０の表面部６３を主要部６４よりも堅い材質（例えば、蓋体１０と同じ材質）で形成すれば、露出している表面を損傷させにくい状態で、上記効果を奏することができる。この場合、前記主要部６４の材質としては、前記蓋体１０の材質よりも密度が小さく、前記マンホール内の水槽に浮遊可能なもの（発泡樹脂等）が考えられる。
【００２０】
上記実施例は、樹脂製のマンホール用蓋について述べたが、本発明は鋳造製のマンホール蓋にも適用されるものである。
【００２１】
【発明の効果】
この発明に係るマンホール用蓋は、蓋体の表面に把手凹部を有するマンホール用蓋において、前記把手凹部に埋設部材を略隙間無く着脱可能に嵌挿するとともにこの埋設部材の露出面を前記蓋体の表面と略面一にしたため、恰も把手凹部の存在しないような状態で設置し、着脱の際にのみ前記埋設部材を取り外せば良いものである。
【００２２】
よって、このマンホール用蓋を使用すれば、マンホールに設置した際に前記把手凹部が露出していないため、靴の踵が侵入することはない結果、歩行者の安全な歩行を確保でき、また、雨水が溜まったりや砂が堆積することはないため、作業者は着脱の作業がしやすい、更に、雨水等が溜まることはないため、環境汚染を誘発させることはないものである。
【００２３】
また、このように、前記把手凹部に前記埋設部材を略隙間無く嵌挿すれば、マンホール用蓋にかかる荷重を分散させることができるため、マンホール用蓋の耐久性を向上させることができる。
【００２４】
また、このマンホール用蓋を使用すれば、通常、把手凹部が塞がれているため、子供のいたづら等によってマンホール用蓋が開放されることはない結果、マンホール用蓋からロック装置を除去することができる。よって、マンホール用蓋に突出部（従来、ロック装置があったため下方に突出した部分があった）が無くなり偏平状になったため、梱包の際に容積が小さくなり、運搬費用を低額化させることができるとともに部品点数が少なくなったため製造コストを低額化させることができる。
【００２５】
また、このようにマンホール用蓋からロック装置を除去することによって、従来生じたロック装置の不都合、即ち、回転部分にゴミや細かい砂等が入り込んで滑らかに廻らなくなったり、回転部分の頭部の操作溝（ドライバー等を差し込んで回す部分）が破損して操作しにくくなるという不都合を解消することができる。
【００２６】
なお、前記埋設部材の露出面の周縁部に係止切り欠きを設ければ、埋設部材を前記把手凹部から取り外す際に、この係止切り欠きにドライバー等の作業具を侵入させ、こじることによって簡単な作業で埋設部材を把手凹部から取り外すことができるものである。
【００２７】
また、前記埋設部材を前記蓋体と同じ材料で形成すれば、両者の熱膨張率が同じである為、寒暖の変化があっても前記埋設部材を前記蓋体の把手凹部に略隙間無く嵌挿することができる。
【００２８】
また、前記埋設部材を、マンホール内の水槽に浮遊可能にすれば、この埋設部材がマンホール内の水槽に落ちたときも容易に拾うことができる。
【００２９】
なお、この場合、前記埋設部材の表面部を主要部よりも堅い材質で形成すれば、露出している表面を損傷させにくい状態で、上記効果を奏することができる。
【図面の簡単な説明】
【図１】この発明に係るマンホール用蓋の平面図である。
【図２】図１におけるＩＩ−ＩＩ線断面図である。
【図３】図２におけるＩＩＩ−ＩＩＩ線断面である。
【図４】この発明における埋設部材の斜視図である。
【図５】この発明における他の埋設部材の斜視図である。
【符号の説明】
Ｍ  …  浄化槽用マンホール用蓋（マンホール用蓋）
１０  …  蓋体
５０  …  把手凹部
６０  …  埋設部材
６１  …  露出面
６２  …  係止切り欠き
６３  …  表面部（埋設部材の）
６４  …  主要部（埋設部材の）
【図１】
2004211415.tif 000003
【図２】
2004211415.tif 000004
【図３】
2004211415.tif 000005
【図４】
2004211415.tif 000006
【図５】
2004211415.tif 000007